(57)【要約】【課題】異なる種類の経路の光で表示させる第１意匠および第２意匠の表示品位を向上させることができる表示装置を提供する。【解決手段】表示装置１００は、第１光源１２２、１２３と、第２光源１２４と、第１光源から発せられる第１光を導光し、導光した第１光を第１意匠１４１〜１４６の形状の反射部において反射することにより第１意匠１４１〜１４６を表示する導光体１１４と、第２意匠１５１〜１５６の形状の透光部分で第２光源１２４から発せられる第２光を透過し、透光部分を除く遮光部分で第２光を遮断するマスク体１１５と、第１意匠１４１〜１４６を表示している第１表示輝度と、第２意匠１５１〜１５６を表示している第２表示輝度とは、第１光の輝度、および、第２光の輝度の少なくとも一方が調整されることで略等しい輝度に調整されている。【選択図】図４
2019144523.tif 000002
【特許請求の範囲】
【請求項１】
第１光源と、
第２光源と、
前記第１光源から発せられる第１光を導光し、導光した前記第１光を第１意匠の形状の反射部において反射することにより前記第１意匠を表示する導光体と、
第２意匠の形状の透光部分で前記第２光源から発せられる第２光を透過し、前記透光部分を除く遮光部分で前記第２光を遮断するマスク体と、
前記第１意匠を表示している第１表示輝度と、前記第２意匠を表示している第２表示輝度とは、前記第１光の輝度、および、前記第２光の輝度の少なくとも一方が調整されることで略等しい輝度に調整されている
表示装置。
【請求項２】
さらに、
前記第１意匠を表示させる第１表示輝度、および、前記第２意匠を表示させる第２表示輝度が略等しくなるように、前記第１光の輝度、および、前記第２光の輝度の少なくとも一方を調整する調整部を備える
請求項１に記載の表示装置。
【請求項３】
前記調整部は、前記第１光源への供給電力または供給電流と、前記第２光源への供給電力または供給電流とを互いに異ならせることで、前記第１光の輝度、および、前記第２光の輝度の少なくとも一方を調整する
請求項２に記載の表示装置。
【請求項４】
前記第１光源および前記第２光源は、同じ種類の光源により構成されている
請求項３に記載の表示装置。
【請求項５】
前記調整部は、前記第１光の輝度を、前記第２光の輝度よりも高い輝度に調整する
請求項２から４のいずれか１項に記載の表示装置。
【請求項６】
前記調整部は、前記第１光源の、前記第１光を発する側に配置され、前記第１光を集光するレンズを含む
請求項５に記載の表示装置。
【請求項７】
前記調整部は、前記第２光源の、前記第２光を発する側に配置され、（ｉ）前記第２光の光量を低下させる減光部、または、（ｉｉ）前記第２光を拡散する光拡散部を含む
請求項５または６に記載の表示装置。
【請求項８】
前記調整部は、前記第１光源のデューティ比よりも小さいデューティ比で、前記第２光源を点滅させる
請求項５から７のいずれか１項に記載の表示装置。
【請求項９】
前記第１光源は、第１の数の発光素子を有し、
前記第２光源は、前記第１の数とは異なる数の前記発光素子を有する
請求項１から８のいずれか１項に記載の表示装置。
【請求項１０】
さらに、
前記第１光源および前記第２光源が配置される基板を備え、
前記第１光源と、前記第２光源とは、前記基板からの高さが互いに異なる位置に配置されている
請求項１から９のいずれか１項に記載の表示装置。
【請求項１１】
前記第１意匠と前記第２意匠とは、互いに重なる位置において表示される
請求項１から１０のいずれか１項に記載の表示装置。
【請求項１２】
前記第１光源と、前記第２光源とは、いずれか一方のみが点灯する
請求項１から１１のいずれか１項に記載の表示装置。
【請求項１３】
さらに、
前記第１光源および前記第２光源が配置されている基板と、
前記第１光源および前記第２光源の間を仕切り、かつ、遮光性を有する隔壁部と、を備え、
前記第１光源および前記第２光源は、選択的にいずれかが点灯し、
前記基板および前記隔壁部は、前記第１光源が設けられる第１空間と、前記第２光源が設けられる第２空間とにおいて、一方の空間から他方の空間に向かう光を遮断した状態で接続されている
請求項１から１２のいずれか１項に記載の表示装置。
【請求項１４】
前記基板および前記隔壁部は、前記基板および前記隔壁部の間の空間に遮光性を有する充填材が充填されることで接続されている
請求項１３に記載の表示装置。
【請求項１５】
前記充填材は、暗色の表面を有する
請求項１４に記載の表示装置。
【請求項１６】
前記充填材は、ゴムまたは接着剤である
請求項１４に記載の表示装置。
【請求項１７】
前記基板および前記隔壁部は、前記隔壁部が前記基板に設けられた凹部または貫通孔に挿入されることで接続されている
請求項１３から１６のいずれか１項に記載の表示装置。
【請求項１８】
前記基板は、遮光性を有する材料により構成されている
請求項１３から１７のいずれか１項に記載の表示装置。
【請求項１９】
前記隔壁部および前記基板の少なくとも一方は、暗色の表面を有する
請求項１３から１８のいずれか１項に記載の表示装置。
【請求項２０】
前記隔壁部の、前記第２光源側の壁面は、暗色部、つや消し部および乱反射部を有する
請求項１３から１９のいずれか１項に記載の表示装置。
【請求項２１】
選択的にいずれかが点灯する第１光源および第２光源と、
前記第１光源から発せられる第１光を導光し、導光した前記第１光を第１意匠の形状の反射部において反射することにより前記第１意匠を表示する導光体と、
第２意匠の形状の透光部分で前記第２光源から発せられる第２光を透過し、前記透光部分を除く遮光部分で前記第２光を遮断するマスク体と、
前記第１光源および前記第２光源が配置されている基板と、
前記第１光源および前記第２光源の間を仕切り、かつ、遮光性を有する隔壁部と、を備え、
前記基板および前記隔壁部は、前記第１光源が設けられる第１空間と、前記第２光源が設けられる第２空間とにおいて、一方の空間から他方の空間に向かう光を遮断した状態で接続されている
表示装置。
【請求項２２】
請求項１３から２１のいずれか１項に記載の表示装置と、
前記表示装置への押圧を検出するスイッチと、を備える
入力装置。
【請求項２３】
前記表示装置は、前記押圧により前記スイッチが配置されている側に移動することで前記スイッチを押圧する
請求項２２に記載の入力装置。
【請求項２４】
前記隔壁部は、前記押圧により、前記基板との接続部分における光を遮断した状態を維持したまま前記基板に対して相対的に移動可能に前記基板に接続されている
請求項２２に記載の入力装置。
【発明の詳細な説明】
【技術分野】
【０００１】
本発明は、表示装置および入力装置に関する。
【背景技術】
【０００２】
特許文献１には、第１光源によって導光板を介して常時表示される第１意匠と、第２光源によって遮光部を通して適宜表示される第２意匠とを有する表示装置が開示されている。
【０００３】
特許文献２には、第１光源と第２光源との点灯を切り替えることで２つのグラフィックの一方を選択的に表示する表示装置が開示されている。
【先行技術文献】
【特許文献】
【０００４】
【特許文献１】特開２００４−３３３３６１号公報
【特許文献２】特開２０１２−１６３９６１号公報
【発明の概要】
【発明が解決しようとする課題】
【０００５】
しかしながら、特許文献１に開示されている従来の表示装置では、第１意匠を表示させる輝度と、第２意匠を表示させる輝度とが異なるおそれがある。具体的には、従来の表示装置では、導光板を介して第１光源の光によって第１意匠を表示させ、第２光源の直接光によって第２意匠を表示させるため、第１意匠を表示させるための光の経路と、第２意匠を表示させるための光の経路とが異なる。このため、第１光源の輝度と第２光源の輝度とが同じ輝度であれば、第１意匠と第２意匠とが異なった輝度で表示されやすくなり、第１意匠と第２意匠との表示品位を損なうおそれがある。
【０００６】
そこで、本発明は、異なる種類の経路の光で表示させる第１意匠および第２意匠の表示品位を向上させることができる表示装置を提供する。
【課題を解決するための手段】
【０００７】
本発明の一態様に係る表示装置は、第１光源と、第２光源と、前記第１光源から発せられる第１光を導光し、導光した前記第１光を第１意匠の形状の反射部において反射することにより前記第１意匠を表示する導光体と、第２意匠の形状の透光部分で前記第２光源から発せられる第２光を透過し、前記透光部分を除く遮光部分で前記第２光を遮断するマスク体と、前記第１意匠を表示している第１表示輝度と、前記第２意匠を表示している第２表示輝度とは、前記第１光の輝度、および、前記第２光の輝度の少なくとも一方が調整されることで略等しい輝度に調整されている。
【０００８】
また、本発明の他の一態様に係る表示装置は、選択的にいずれかが点灯する第１光源および第２光源と、前記第１光源から発せられる第１光を導光し、導光した前記第１光を第１意匠の形状の反射部において反射することにより前記第１意匠を表示する導光体と、第２意匠の形状の透光部分で前記第２光源から発せられる第２光を透過し、前記透光部分を除く遮光部分で前記第２光を遮断するマスク体と、前記第１光源および前記第２光源が配置されている基板と、前記第１光源および前記第２光源の間を仕切り、かつ、遮光性を有する隔壁部と、を備え、前記基板および前記隔壁部は、前記第１光源が設けられる第１空間と、前記第２光源が設けられる第２空間とにおいて、一方の空間から他方の空間に向かう光を遮断した状態で接続されている。
【発明の効果】
【０００９】
本発明の表示装置および入力装置では、異なる種類の経路の光で表示させる第１意匠および第２意匠の表示品位を向上させることができる。
【図面の簡単な説明】
【００１０】
【図１】図１は、実施の形態１に係るステアリング入力装置が配置された車両の車室の一例を示す図である。
【図２】図２は、実施の形態１に係るステアリング入力装置の使用例を示す図である。
【図３】図３は、実施の形態１に係る表示装置の外観斜視図である。
【図４】図４は、実施の形態１に係る表示装置の分解斜視図である。
【図５】図５は、図３のＶ−Ｖ断面図である。
【図６】図６は、導光体と導光体に形成された第１意匠を表示させるための第１光源との関係を示す斜視図である。
【図７】図７は、マスク体とマスク体に形成された第２意匠を表示させるための第２光源との関係を示す斜視図である。
【図８】図８は、表示装置の機能構成を示すブロック図である。
【図９】図９は、スイッチ本体を押圧する前後の動きを説明するための図である。
【図１０】図１０は、実施の形態１の変形例１に係る表示装置における、図３のＶ−Ｖ断面図に対応する断面図である。
【図１１】図１１は、実施の形態１の変形例２に係る表示装置における、図３のＶ−Ｖ断面図に対応する断面図である。
【図１２】図１２は、実施の形態１の変形例３に係る表示装置における、図３のＶ−Ｖ断面図に対応する断面図である。
【図１３】図１３は、実施の形態１の変形例４に係る表示装置における、図３のＶ−Ｖ断面図に対応する断面図である。
【図１４】図１４は、実施の形態２に係る表示装置における、図３のＶ−Ｖ断面図に対応する断面図である。
【図１５】図１５は、実施の形態２の変形例１に係る表示装置における、図３のＶ−Ｖ断面図に対応する断面図である。
【図１６】図１６は、実施の形態２の変形例２に係る表示装置における、図３のＶ−Ｖ断面図に対応する断面図である。
【発明を実施するための形態】
【００１１】
本発明の一態様に係る表示装置は、第１光源と、第２光源と、前記第１光源から発せられる第１光を導光し、導光した前記第１光を第１意匠の形状の反射部において反射することにより前記第１意匠を表示する導光体と、第２意匠の形状の透光部分で前記第２光源から発せられる第２光を透過し、前記透光部分を除く遮光部分で前記第２光を遮断するマスク体と、前記第１意匠を表示している第１表示輝度と、前記第２意匠を表示している第２表示輝度とは、前記第１光の輝度、および、前記第２光の輝度の少なくとも一方が調整されることで略等しい輝度に調整されている。
【００１２】
これによれば、第１光の輝度、および、第２光の輝度の少なくとも一方が調整されているため、第１意匠を表示させる第１表示輝度と、第２意匠を表示させる第２表示輝度とを同等にできる。よって、異なる種類の経路の光で表示させる第１意匠および第２意匠の表示品位を向上させることができる。
【００１３】
また、さらに、前記第１意匠を表示させる第１表示輝度、および、前記第２意匠を表示させる第２表示輝度が略等しくなるように、前記第１光の輝度、および、前記第２光の輝度の少なくとも一方を調整する調整部を備えてもよい。
【００１４】
これによれば、調整部は、第１光源が発する第１光の輝度と、第２光源が発する第２光の輝度との少なくとも一方を調整するため、第１意匠を表示させる第１表示輝度と、第２意匠を表示させる第２表示輝度とを同等にできる。よって、第１意匠および第２意匠の表示品位を向上させることができる。
【００１５】
また、前記調整部は、前記第１光源への供給電力と、前記第２光源への供給電力とを互いに異ならせることで、前記第１光の輝度、および、前記第２光の輝度の少なくとも一方を調整してもよい。
【００１６】
このため、第１光の輝度、および、第２光の輝度の少なくとも一方を調整することが容易にできる。
【００１７】
また、前記調整部は、前記第１光源への供給電流と、前記第２光源への供給電流とを互いに異ならせることで、前記第１光の輝度、および、前記第２光の輝度の少なくとも一方を調整してもよい。
【００１８】
このため、第１光の輝度、および、第２光の輝度の少なくとも一方を調整することが容易にできる。
【００１９】
また、前記第１光源および前記第２光源は、同じ種類の光源により構成されていてもよい。
【００２０】
これによれば、調整部は、同じ種類の光源により構成されている第１光源および第２光源において、供給電力または供給電流を調整することで、第１光の輝度、および、第２光の輝度の少なくとも一方を調整することが容易にできる。
【００２１】
また、前記調整部は、前記第１光の輝度を、前記第２光の輝度よりも高い輝度に調整してもよい。
【００２２】
これによれば、調整部は、透過光を利用して表示する第２意匠よりも低輝度となりやすい、導光体を利用して表示する第１意匠を表示させるための第１光の輝度を、第２光の輝度よりも高い輝度に調整する。このため、調整部は、第１意匠を表示させる第１表示輝度と、第２意匠を表示させる第２表示輝度とを同等に調整することができる。よって、第１意匠および第２意匠の表示品位を向上させることができる。
【００２３】
また、前記調整部は、前記第１光源の、前記第１光を発する側に配置され、前記第１光を集光するレンズを含んでもよい。
【００２４】
これによれば、第１光源の、第１光を発する側位に、レンズを配置することで、第１光源から発せられる光を集光させることができるため、第１光の輝度を第２光の輝度よりも高い輝度に調整することができる。
【００２５】
また、前記調整部は、前記第２光源の、前記第２光を発する側に配置され、前記第２光の光量を低下させる減光部を含んでもよい。
【００２６】
これによれば、第２光源の、第２光を発する側に、減光部を配置することで、第２光源から発せられる光を減光させることができるため、第１光の輝度を第２光の輝度よりも高い輝度に調整することができる。
【００２７】
また、前記調整部は、前記第２光源の、前記第２光を発する側に配置され、前記第２光を拡散する光拡散部を含んでもよい。
【００２８】
これによれば、第２光源の、第２光を発する側に、光拡散部を配置することで、第２光源から発せられる光を拡散させることができるため、第１光の輝度を第２光の輝度よりも高い輝度に調整することができる。
【００２９】
また、前記調整部は、前記第１光源のデューティ比よりも小さいデューティ比で、前記第２光源を点滅させてもよい。
【００３０】
このため、第１光の輝度を第２光の輝度よりも高い輝度に調整することが容易にできる。
【００３１】
また、前記第１光源は、第１の数の発光素子を有し、前記第２光源は、前記第１の数とは異なる数の前記発光素子を有してもよい。
【００３２】
このため、第１光の輝度、および、第２光の輝度を調整することが容易にできる。
【００３３】
また、さらに、前記第１光源および前記第２光源が配置される基板を備え、前記第１光源と、前記第２光源とは、前記基板からの高さが互いに異なる位置に配置されていてもよい。
【００３４】
このため、第１光の輝度、および、第２光の輝度を調整することが容易にできる。
【００３５】
また、さらに、前記第１光源と前記第２光源との間を仕切る隔壁部を有し、前記隔壁部の、前記第２光源側の壁面は、暗色部、つや消し部および乱反射部を有してもよい。
【００３６】
このため、隔壁部は、第２光の反射率を低減できるため、第２光の輝度を第１光の輝度よりも小さくすることができる。よって、第１光の輝度を第２光の輝度よりも高い輝度に調整することが容易にできる。
【００３７】
また、前記第１意匠と前記第２意匠とは、互いに重なる位置において表示されてもよい。
【００３８】
このため、異なる輝度で表示されて場合には特に違いが目立ちやすくなる、第１意匠と第２意匠とが互いに重なる位置に配置される場合であっても、第１意匠及び第２意匠を表示させる輝度を互いに同等に調整することができる。よって、第１意匠および第２意匠の表示品位を向上させることができる。
【００３９】
また、前記第１光源と、前記第２光源とは、いずれか一方のみが点灯してもよい。
【００４０】
このため、第１意匠および第２意匠のいずれか一方が表示される場合においても、第１意匠及び第２意匠を表示させる輝度が互いに同等に調整されるので、表示が切り替えられた時も同等の輝度となり、第１意匠および第２意匠の表示品位を向上させることができる。
【００４１】
また、特許文献１および２には、次に示すような課題がある。
【００４２】
特許文献１には、第１光源収容部および第２光源収容部に、それぞれ、第１光源および第２光源を収容する構成、つまり、第１光源および第２光源の間に隔壁を配置する構成が開示されている。第１光源収容部および第２光源収容部は、複数の第１光源および複数の第２光源のそれぞれに対応して複数設けられており、互いに一体化されて導光体収容部を構成している。複数の第１光源および複数の第２光源は、１枚の基板上に配置されているため、複数の第１光源収容部および複数の第２光源収容部に、複数の第１光源及び複数の第２光源を収容するには、導光体収容部を基板上に配置することとなる。
【００４３】
このとき、導光体収容部は、複数の第１光源収容部および複数の第２光源収容部が一体化された構成であるので、複数の第１光源および複数の第２光源の間に設けられた複数の隔壁の寸法誤差が発生する可能性が高い。さらに、１枚の基板に複数の第１光源および複数の第２光源が配置されるため、基板が大型化し、たわみが発生する可能性が高い。したがって、このような導光体収容部と基板とを、すべて一律に密着させることは難しい。このように、導光体収容部と基板とが密着せずに隙間が空く場合、第１光源からの光が第２光源収容部に漏れたり、第２光源からの光が第１光源収容部に漏れたりするような光漏れが生じることとなり、これにより、第１意匠および第２意匠の表示品位を損なうおそれがある。特に、この光漏れは、特許文献２のように第１光源と第２光源との点灯を切り替える構成において、第１光源からの光が第２意匠を表示させてしまったり、第２光源からの光が第１意匠を表示させてしまったりする原因となる。
【００４４】
また、特許文献２では、第２光源が十分に隔離されていないため、第２光源からの光が、第１光源からの光を伝える光パイプに到達するおそれがある。具体的には、第２光源の外側には、アームが配置されているが、アームは、第２光源からの光を遮断できないおそれがある。例えば、アームが透光性を有する部材で構成される、または、第２光源が配置される空間と光パイプが配置される空間との間を貫通する隙間、開口などを有する場合、第２光源から光パイプへの光を効果的に遮断できないおそれがある。このため、第２光源からの光で第２グラフィックを表示させる場合に、第１光源の光によって表示する第１グラフィックが映り込んでしまうおそれがある。
【００４５】
さらに、特許文献１および特許文献２では、基板の材料について言及されていないため、基板が透光性を有する材料で構成されていれば、第１光源および第２光源のうちの一方の光源の光が基板内部を伝播して、他方の光源が配置されている空間をほのかに照らしてしまうおそれがある。よって、上述したように、第１光源からの光が第２意匠を表示させてしまったり、第２光源からの光が第１意匠を表示させてしまったりするおそれがある。
【００４６】
つまり、上述したように、上記特許文献１および２に記載の技術では、第１意匠および第２意匠をそれぞれ選択的に独立して表示することが難しいという課題がある。
【００４７】
以上の課題を解決するために、本発明者らは、鋭意検討の上、下記の構成の表示装置を見出すに至った。
【００４８】
本発明の一態様に係る表示装置は、さらに、前記第１光源および前記第２光源が配置されている基板と、前記第１光源および前記第２光源の間を仕切り、かつ、遮光性を有する隔壁部と、を備え、前記第１光源および前記第２光源は、選択的にいずれかが点灯し、前記基板および前記隔壁部は、前記第１光源が設けられる第１空間と、前記第２光源が設けられる第２空間とにおいて、一方の空間から他方の空間に向かう光を遮断した状態で接続されている。
【００４９】
このため、第１光源が点灯している場合において、第１光源からの第１光が基板および隔壁部の接続部分から第２空間に漏れることを低減することができる。同様に、第２光源が点灯している場合において、第２光源からの第２光が基板および隔壁部の接続部分から第１空間に漏れることを低減することができる。よって、第１意匠を表示している場合に、第２意匠が映り込んでしまうこと、および、第２意匠を表示している場合に、第１意匠が映り込んでしまうことを低減することができる。これにより、表示装置では、第１意匠および第２意匠をそれぞれ選択的に独立して表示させることができる。
【００５０】
また、前記基板および前記隔壁部は、前記基板および前記隔壁部の間の空間に遮光性を有する充填材が充填されることで接続されていてもよい。
【００５１】
このため、基板および隔壁部の接続部分において、第１空間および第２空間の一方の空間から他方の空間に向かう光を効果的に遮断することができる。
【００５２】
また、前記充填材は、暗色の表面を有してもよい。
【００５３】
このため、充填材において、第１光源からの第１光、または、第２光源からの第２光が反射されるのを低減することができる。よって、光が充填材において乱反射されることを低減することができ、第１空間および第２空間の一方の空間から他方の空間に向かう光を効果的に遮断することができる。
【００５４】
また、前記充填材は、ゴムまたは接着剤であってもよい。
【００５５】
このため、基板および隔壁部の接続部分における隙間を容易に埋めることができる。よって、基板および隔壁部の接続部分において、第１空間および第２空間の一方の空間から他方の空間に向かう光を効果的に遮断することができる。
【００５６】
また、前記基板および前記隔壁部は、前記隔壁部が前記基板に設けられた凹部または貫通孔に挿入されることで接続されていてもよい。
【００５７】
このため、隔壁部は、接続部分における隙間を最小限にした状態で第１空間および第２空間を仕切ることができる。さらに、基板は、凹部または貫通孔を有するため、基板の内部を伝播する光があったとしても貫通孔で光の伝播が遮られる。よって、基板および隔壁部の接続部分において、第１空間および第２空間の一方の空間から他方の空間に向かう光を効果的に遮断することができる。
【００５８】
また、前記基板は、遮光性を有する材料により構成されていてもよい。
【００５９】
このため、光が基板側から漏れて、第１空間および第２空間の一方の空間から他方の空間に向かうことを遮断することができる。また、基板が遮光性を有するため、一般的なガラスエポキシ基板のように光が基板内部を伝播して、他方の空間をほのかに照らしてしまう可能性を低減することができる。
【００６０】
また、前記隔壁部は、暗色の表面を有してもよい。
【００６１】
このため、隔壁部の表面において乱反射を低減することができ、第１空間および第２空間の一方の空間から他方の空間に向かう光を効果的に遮断することができる。
【００６２】
また、前記基板は、暗色の表面を有してもよい。
【００６３】
このため、基板の表面において乱反射を低減することができ、第１空間および第２空間の一方の空間から他方の空間に向かう光を効果的に遮断することができる。
【００６４】
また、さらに、前記第１光源および前記第２光源の少なくとも一方の光を発する側に設けられ、当該光を集光するレンズを備えてもよい。
【００６５】
このため、第１光源および第２光源の少なくとも一方の光をレンズにより集光することができるため、第１光源の第１光が第２空間側に向かうこと、または、第２光源の第２光が第１空間側に向かうことを低減することができる。よって、基板および隔壁部の接続部分において、第１空間および第２空間の一方の空間から他方の空間に向かう光を効果的に遮断することができる。
【００６６】
また、本発明の一態様に係る入力装置は、上記表示装置と、前記表示装置への押圧を検出するスイッチと、を備える。
【００６７】
このため、第１光源が点灯している場合において、第１光源からの第１光が基板および隔壁部の接続部分から第２空間に漏れることを低減することができる。同様に、第２光源が点灯している場合において、第２光源からの第２光が基板および隔壁部の接続部分から第１空間に漏れることを低減することができる。よって、第１意匠を表示している場合に、第２意匠が映り込んでしまうこと、および、第２意匠を表示している場合に、第１意匠が映り込んでしまうことを低減することができる。これにより、入力装置では、第１意匠および第２意匠をそれぞれ選択的に独立して表示させることができる。
【００６８】
また、入力装置は、前記表示装置が、前記押圧により前記スイッチが配置されている側に移動することで前記スイッチを押圧してもよい。
【００６９】
また、入力装置は、前記隔壁部が、前記押圧により、前記基板との接続部分における光を遮断した状態を維持したまま前記基板に対して相対的に移動可能に前記基板に接続されていてもよい。
【００７０】
以下、本発明の一態様に係る表示装置を含む入力装置について、図面を参照しながら具体的に説明する。
【００７１】
なお、以下で説明する実施の形態は、いずれも本発明の一具体例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００７２】
（実施の形態１）
［１−１．ステアリング入力装置の構成］
まず、図１及び図２を参照しながら、実施の形態１に係るステアリング入力装置２の構成について説明する。図１は、実施の形態１に係るステアリング入力装置２が配置された車両の車室の一例を示す図である。図２は、実施の形態１に係るステアリング入力装置２の使用例を示す図である。
【００７３】
図１に示す自動車４（車両の一例）の車室には、ステアリング入力装置２及び車載機器６が搭載されている。実施の形態１に係るステアリング入力装置２は、ステアリングホイール８及び表示装置１００を備えている。
【００７４】
ステアリングホイール８は、自動車４を操舵するためのものである。ステアリングホイール８は、リング形状を有するリム１２と、リム１２の内周面に一体的に形成された略Ｔ字状のスポーク１４と、スポーク１４の中央部に配置されたホーンスイッチ（図示せず）を覆うホーンスイッチカバー１６とを有している。
【００７５】
表示装置１００は、車載機器６を操作するためのものであり、例えばステアリングホイール８のスポーク１４に配置されている。図２に示すように、ユーザである運転者は、リム１２を握っている右手の指１８（操作物体の一例）で表示装置１００に対して入力を行うことにより、車載機器６を操作することができる。表示装置１００の構成については後で詳述する。
【００７６】
車載機器６は、例えばコンパクトディスク等の光ディスクを再生するためのオーディオ機器である。車載機器６は、例えばダッシュボード２０内に配置されている。車載機器６の構成については後で詳述する。
【００７７】
［１−２．表示装置の構成］
次に、図３〜７を参照しながら、実施の形態１に係る表示装置１００の構成について説明する。図３は、実施の形態１に係る表示装置１００の外観斜視図である。図４は、実施の形態１に係る表示装置１００の分解斜視図である。図５は、図３のＶ−Ｖ断面図である。
【００７８】
図３〜図５に示すように、実施の形態１に係る表示装置１００は、導光体１１４と、マスク体１１５と、隔壁部１１７と、第１光源１２２、１２３および第２光源１２４が設けられた基板１１８とを備える。表示装置１００は、さらに、外枠１１１と、タッチセンサ１１２と、窓枠１１３と、押圧部１１６と、下枠１１９とを備えていてもよい。
【００７９】
外枠１１１は、表示装置１００の前面の外周側から表示装置１００の側面を覆う部材である。外枠１１１は、例えば、樹脂等の材料により構成される。
【００８０】
タッチセンサ１１２は、表示装置１００の前面側（Ｚ軸方向プラス側）に配置され、前面上におけるユーザによってタッチされた位置であるタッチ位置を検出するセンサである。タッチセンサ１１２は、押圧部１１６のＺ軸方向プラス側に配置され、押圧部１１６のＺ軸方向プラス側の面である操作面上におけるタッチ位置を検出する。なお、後述する第１意匠１４１〜１４６および第２意匠１５１〜１５６は、タッチセンサ１１２のＺ軸方向プラス側の表面に表示される。つまり、タッチセンサ１１２のＺ軸方向プラス側の表面は、表示面となる。
【００８１】
なお、タッチ位置とは、ユーザの指などの身体の一部によってタッチされた位置であってもよいし、導電性を有する物体によってタッチされた位置であってもよい。タッチセンサ１１２は、透明な部材により構成されている。タッチセンサ１１２は、抵抗膜方式、静電容量方式など様々な方式のタッチセンサを利用できる。
【００８２】
窓枠１１３は、導光体１１４に形成された意匠以外の領域からの光を遮る部材である。具体的には、窓枠１１３は、導光体１１４の前側に配置され、意匠に対応する領域に外形が矩形の開口を有する。窓枠１１３は、遮光性を有する材料（例えば、樹脂等）により構成される。これにより、表示装置１００では、導光体１１４の出光面１３１ａ（後述参照）に形成されている第１意匠の部分以外の部分から光が出射されることを低減でき、第１意匠の部分に限定して光を出射させることができる。
【００８３】
導光体１１４は、基板１１８に実装されている第１光源１２２、１２３から発光された光（第１光）を、Ｘ−Ｙ平面に略平行な出光面から前側に出射する部材である。具体的には、導光体１１４は、第１光源１２２、１２３から発せられる第１光を導光し、導光した第１光を第１意匠１４１〜１４６の形状の反射部において反射することにより第１意匠１４１〜１４６を表示する。導光体１１４は、透明な材料により構成されており、例えば、アクリル樹脂や、ポリカーボネート樹脂等により構成される。
【００８４】
次に、図６を参照しながら、実施の形態１に係る導光体１１４の詳細な構成について説明する。
【００８５】
図６は、導光体１１４と導光体１１４に形成された第１意匠１４１〜１４６を表示させるための第１光源との関係を示す斜視図である。
【００８６】
図６に示すように、導光体１１４は、出光部１３１と、導光部１３２、１３３とを有する。
【００８７】
出光部１３１は、Ｘ−Ｙ平面に略平行に配置される板状の部位である。出光部１３１は、Ｚ軸方向プラス側の面から光を出射する出光面１３１ａを有する。出光面１３１ａには、操作対象を示す第１意匠１４１〜１４６が形成される。
【００８８】
導光部１３２、１３３は、出光部１３１に略垂直に接続されており、Ｙ−Ｚ平面に略平行に配置される板状の部位である。導光部１３２、１３３は、第１光源１２２、１２３と対向する、Ｘ−Ｙ平面に略平行な入光面１３４、１３５を有する。
【００８９】
入光面１３４、１３５は、第１光源１２２と対向する第１の入光面１３４、および、第１光源１２３と対向する第２の入光面１３５を有する。本実施の形態では、第１の入光面１３４は、３つの第１光源１２２と対向する位置に配置され、３つの第１光源１２２が配置されている領域に跨がって配置されている。第２の入光面１３５は、３つの第１光源１２３と対向する位置に配置され、３つの第１光源１２３が配置されている領域に跨がって配置されている。
【００９０】
また、導光部１３２、１３３は、入光面１３４、１３５から進入した光を出光面１３１ａに導く導光体１１４の部位である。導光部１３２、１３３は、第１の入光面１３４から進入した光を出光面１３１ａに導く第１の導光部１３２と、第２の入光面１３５から進入した光を出光面１３１ａに導く第２の導光部１３３とを有する。第１の導光部１３２および第２の導光部１３３は、出光部１３１のＸ軸方向における両端に配置され、互いに略平行に配置されている。つまり、第２の導光部１３３は、出光面１３１ａを挟んで第１の導光部１３２とは反対側に配置される。
【００９１】
第１の導光部１３２および第２の導光部１３３は、出光部１３１に対して屈曲して形成されている。つまり、第１の導光部１３２は、約９０度屈曲している曲面部分１３２ａを介して、出光部１３１と接続されており、第２の導光部１３３は、約９０度屈曲している曲面部分１３３ａを介して、出光部１３１と接続されている。
【００９２】
このように、導光体１１４は、３つの第１光源１２２および３つの第１光源１２３が発した光（第１光）を２つの導光部から出光面１３１ａに導く構成である。このため、ユーザがタッチする位置を示す複数の意匠を表示する比較的広い出光面１３１ａであっても、Ｘ軸方向およびＹ軸方向に輝度のムラが生じることを低減することができる。
【００９３】
また、第１意匠１４１〜１４６のそれぞれは、反射部としての、光の出射側が頂点となる逆Ｖ字の溝または逆Ｖ字の孔が出光部１３１の出光面１３１ａとは反対側の面に形成されることで、形成されている。つまり、第１意匠１４１〜１４６のそれぞれは、逆Ｖ字の溝または逆Ｖ字の孔である反射部によって、導光部１３２、１３３から出光部１３１に導かれ、Ｘ軸方向に進む光をＺ軸方向プラス側に反射することで、表示される。また、第１意匠１４１〜１４６のそれぞれは、導光体１１４の厚み方向の光を透過するように、出光面１３１ａに形成されている。このため、導光体１１４は、出光部１３１のＺ軸方向マイナス側に配置される第２光源１２４からの光をＺ軸方向プラス側に透過する。
【００９４】
次に、図７を参照しながら、実施の形態１に係るマスク体１１５の詳細な構成について説明する。
【００９５】
図７は、マスク体１１５とマスク体１１５に形成された第２意匠１５１〜１５６を表示させるための第２光源１２４との関係を示す斜視図である。
【００９６】
図７に示すように、マスク体１１５は、略正方形の板状の部材であり、マスク体１１５の厚み方向（Ｚ軸方向）に光を透過する第２意匠１５１〜１５６が形成されている。マスク体１１５は、第２意匠１５１〜１５６が形成されている部位を除く部位では、光を遮断する。つまり、マスク体１１５は、第２光源１２４から発せられる第２光を透過し、かつ、第２意匠１５１〜１５６の形状である透光部分と、透光部分を除く部分であって、第２光を遮断する遮光部分とを有するマスク体１１５は、遮光部分が遮光性を有する材料（例えば樹脂）で構成され、透光部分が透光性を有する材料（例えば樹脂）で構成される。
【００９７】
なお、マスク体１１５の透光部分は、遮光部分に第２意匠の形状の貫通孔により形成されてもよい。また、マスク体１１５は、透明な板状部材に遮光性を有する塗装を行うことで形成されてもよい。つまり、マスク体１１５の遮光部分の表面には、遮光性を有する塗膜が配置されており、マスク体１１５の透光部分の表面には、上記塗膜が配置されていない構成であってもよい。
【００９８】
マスク体１１５は、Ｚ軸方向マイナス側に配置される第２光源１２４ａ〜１２４ｆのそれぞれの位置に対応した位置に第２意匠１５１〜１５６が形成されている。マスク体１１５と第２光源１２４ａ〜１２４ｆが設けられる基板１１８との間には、図４に示すように、後述する押圧部１１６および隔壁部１１７が配置される。第２光源１２４ａ〜１２４ｆは、隔壁部１１７によって互いに隔離されるため、第２意匠１５１〜１５６のそれぞれには、第２光源１２４ａ〜１２４ｆのうち対応する第２光源１２４ａ〜１２４ｆの光（第２光）が照射される。
【００９９】
また、マスク体１１５は、導光体１１４の出光部１３１と重なった状態で、出光部１３１のＺ軸方向マイナス側に配置される。第２意匠１５１〜１５６は、第１意匠１４１〜１４６と重なる位置に配置されている。つまり、第１意匠１４１〜１４６と第２意匠１５１〜１５６とが対応する意匠同士で重なるように、導光体１１４とマスク体１１５が配置される。つまり、第１意匠１４１〜１４６と第２意匠１５１〜１５６とは、互いに重なる位置において表示される。このように、第１意匠１４１〜１４６が設けられる領域と、第２意匠１５１〜１５６が設けられる領域とは、互いに重なるため、同等の面積であると言える。
【０１００】
押圧部１１６は、基板１１８に実装されているスイッチ本体１２１の前側に配置され、スイッチ本体１２１を押圧する部材である。押圧部１１６は、スイッチ本体１２１を押圧できるように、スイッチ本体１２１に対してＺ軸方向にスライド可能にＸ軸方向の側面において外枠１１１により支持されている。押圧部１１６は、タッチセンサ１１２、窓枠１１３および導光体１１４を支持している。つまり、タッチセンサ１１２、窓枠１１３および導光体１１４は、押圧部１１６のＺ軸方向へのスライドと共にスライドする。なお、押圧部１１６が押圧される操作面は、人の手の指の幅よりも大きい幅を有する。
【０１０１】
また、押圧部１１６は、マスク体１１５の第２意匠１５１〜１５６のそれぞれに対応する位置に、Ｚ軸方向に貫通している複数の開口が設けられている。複数の開口は、Ｚ軸方向から見た外径が矩形状である。このため、押圧部１１６は、複数の開口において、第２意匠１５１〜１５６に対応する第２光源１２４ａ〜１２４ｆの光を透過する。
【０１０２】
押圧部１１６は、例えば、樹脂等の材料により構成される。
【０１０３】
隔壁部１１７は、基板１１８上に配置され、第１光源１２２、１２３と第２光源１２４ａ〜１２４ｆとの間を仕切り、かつ、遮光性を有する部材である。つまり、隔壁部１１７は、少なくとも基板１１８上において、第１光源１２２、第１光源１２３、第２光源１２４ａ、第２光源１２４ｂ、第２光源１２４ｃ、第２光源１２４ｄ、第２光源１２４ｅ及び第２光源１２４ｆのそれぞれの間に配置される壁を有し、これらの光源の光が対応する意匠以外に到達することを抑制している。隔壁部１１７が有する壁は、第２光源１２４ａ〜１２４ｆのそれぞれに対応する角筒状の形状である。隔壁部１１７により、基板１１８上の空間は、第１光源１２２、１２３が設けられる第１空間Ｓ１と、第２光源１２４が設けられる第２空間Ｓ２とに仕切られる。また、隔壁部１１７は、暗色の表面を有していてもよい。
【０１０４】
隔壁部１１７は、例えば、樹脂等の材料により構成される。
【０１０５】
基板１１８は、スイッチ本体１２１と、複数の第１光源１２２、１２３と、複数の第２光源１２４と、制御回路１２５とを有する配線基板である。スイッチ本体１２１及び複数の第１光源１２２、１２３及び複数の第２光源１２４は、基板１１８に配置されており、例えば、基板１１８の前面側（Ｚ軸方向プラス側）の主面に実装されている。基板１１８は、遮光性を有する材料により構成されていてもよい。また、基板１１８は、暗色の表面を有していてもよい。
【０１０６】
スイッチ本体１２１は、押圧式のスイッチである。このため、表示装置１００は、スイッチ本体１２１を有する入力装置としても機能する。
【０１０７】
複数の第１光源１２２、１２３及び複数の第２光源１２４は、基板１１８において、スイッチ本体１２１よりもＸ軸方向マイナス側に配置される３つの第１光源１２２と、スイッチ本体１２１よりもＸ軸方向プラス側に配置される３つの第１光源１２３と、３つの第１光源１２２および３つの第１光源１２３の間に配置される６つの第２光源１２４を有する。また、第１光源１２２、１２３および第２光源１２４は、基板１１８上の互いに離れた位置に配置される。３つの第１光源１２２は、Ｙ軸方向に沿って並んで配置されている。３つの第１光源１２３は、Ｙ軸方向に沿って並んで配置されている。複数の第１光源１２２、１２３および複数の第２光源１２４のそれぞれは、例えば、ＬＥＤ（Ｌｉｇｈｔ  Ｅｍｉｔｔｉｎｇ  Ｄｉｏｄｅ）により構成されている。なお、複数の第１光源１２２、１２３および複数の第２光源１２４のそれぞれは、ＬＥＤ以外の発光素子により構成されてもよく、例えば、有機ＥＬ（Ｅｌｅｃｔｒｏ  Ｌｕｍｉｎａｎｃｅ）、電球等により構成されていてもよい。
【０１０８】
なお複数の第１光源１２２、１２３および複数の第２光源１２４のそれぞれは、互いに同じ種類の光源、例えば、互いに同じ種類の発光素子（例えばＬＥＤ）により構成されていてもよい。また、この場合の同じ種類の発光素子とは、発光条件（例えば、付与される電流または電力の大きさ）が同じ場合に、同じ輝度で発光する発光素子である。
【０１０９】
この場合、第１光源１２２、１２３の数と第２光源１２４の数とは互いに６つずつとなる。よって、第１意匠１４１〜１４６を表示させるための第１光源１２２、１２３により発せられる第１光の輝度と、第２意匠１５１〜１５６を表示させるための第２光源１２４により発せられる第２光の輝度とは、第１光源１２２、１２３および第２光源１２４の発光条件が同じ場合には、互いに同じ輝度となる。
【０１１０】
制御回路１２５は、第１光源１２２、１２３および第２光源１２４の動作を制御する。
【０１１１】
図８は、表示装置の機能的な構成を示すブロック図である。
【０１１２】
図８に示すように、制御回路１２５は、第１光源１２２、１２３および第２光源１２４の輝度を調整する調整部１２６を有する。
【０１１３】
調整部１２６は、第１光源１２２、１２３が発する第１光の輝度、および、第２光源１２４が発する第２光の輝度の少なくとも一方を、第１意匠１４１〜１４６を表示している光の輝度である第１表示輝度、および、第２意匠１５１〜１５６を表示している光の輝度である第２表示輝度が同等になるように、調整する。調整部１２６は、第１光源１２２、１２３および第２光源１２４の発光条件を互いに異ならせることで、それぞれの輝度を調整する。調整部１２６は、例えば、第１光源１２２、１２３への供給電力と、第２光源１２４への供給電力とを互いに異ならせることで、第１光の輝度、および、第２光の輝度の少なくとも一方を調整してもよい。また、調整部１２６は、例えば、第１光源１２２、１２３への供給電流と、第２光源１２４への供給電流とを互いに異ならせることで、第１光の輝度、および、第２光の輝度の少なくとも一方を調整してもよい。
【０１１４】
なお、透過光を利用して表示する第２意匠１５１〜１５６は、導光体１１４を導光させた光を利用して表示する第１意匠１４１〜１４６と比較して明るくなりやすい。このため、調整部１２６は、第１光源１２２、１２３により発せられる第１光の輝度を、第２光源１２４により発せられる第２光の輝度よりも高い輝度に調整してもよい。この場合、調整部１２６は、例えば、第１光源１２２、１２３への供給電力を、第２光源１２４への供給電力よりも大きくしてもよい。また、調整部１２６は、例えば、第１１２２、１２３への供給電流を、第２光源１２４への供給電流よりも大きくしてもよい。このため、調整部１２６は、第１意匠１４１〜１４６の第１表示輝度と、第２意匠１５１〜１５６の第２表示輝度とを同等に調整することができる。
【０１１５】
また、調整部１２６は、第１光源１２２、１２３を発光させるデューティ比と、第２光源１２４を発光させるデューティ比とを互いに異ならせることで、第１光の輝度、および第２光の輝度の少なくとも一方を調整してもよい。調整部１２６は、例えば、第１光源１２２、１２３のデューティ比よりも小さいデューティ比で、第２光源１２４を点滅させてもよい。なお、この場合、第１光源１２２、１２３のデューティ比は、１であることを含む。つまり、第１光源１２２、１２３は、常時点灯していることを含む。
【０１１６】
また、制御回路１２５は、スイッチ本体１２１の機能を、タッチセンサ１１２が検出している位置に対応する第１意匠１４１〜１４６または第２意匠１５１〜１５６の位置に応じた機能に切り替える。例えば、制御回路１２５は、タッチセンサ１１２が、第１意匠１４１に対応する位置を検出している時にスイッチ本体１２１が押圧されれば、第１意匠１４１が示す右カーソルキーの入力を受け付ける。他の第１意匠１４２〜１４６や第２意匠１５１〜１５６についても同様に機能を切り替えて、切り替えた機能に対応する入力を受け付ける。
【０１１７】
制御回路１２５は、表示装置１００を複数の動作モードで動作させる。例えば、制御回路１２５は、第１動作モードとしてのメニュー選択モードと、第２動作モードとしての音楽プレイヤーモードとの２種類の動作モードで表示装置１００を動作させる。制御回路１２５は、所定の切り替え手段によって切り替えられた動作モードに応じて、スイッチ本体１２１が押圧されたときの機能を切り替える。所定の切り替え手段は、他のスイッチのオンオフや、音声認識、ジェスチャ認識など様々な切り替え手段が考えられる。
【０１１８】
また、制御回路１２５は、動作モードに応じて、割り当てられるスイッチ本体１２１への機能と、第１光源１２２、１２３または第２光源１２４により発光する機能とを対応づけている。例えば、第１動作モードにおいては、タッチセンサ１１２およびスイッチ本体１２１の組合せは、メニューを選択するために選択されている項目を移動させるための十字キーと、選択されている項目を設定させるための決定キーとして機能する。また、第２動作モードにおいては、タッチセンサ１１２およびスイッチ本体１２１の組合せは、音楽プレイヤーの曲送り、曲戻し、音量増加、音量減少、再生／停止などのキーとして機能する。
【０１１９】
そこで、本実施の形態では、制御回路１２５は、動作モードに応じて、第１光源１２２、１２３及び第２光源１２４のいずれかを選択的に点灯させる。これにより、第１動作モードでは、第１意匠１４１〜１４６が表示されるようにし、第２動作モードでは、第２意匠１５１〜１５６が表示されるように第１光源１２２、１２３及び第２光源１２４を制御している。同様にして、制御回路１２５は、動作モードに応じて、第１光源１２２、１２３及び第２光源１２４のうちのいずれかを選択的に点灯させることで、タッチセンサ１１２に、第１動作モードでは、第１意匠１４１〜１４６が表示されるようにし、第２動作モードでは、第１意匠１４１〜１４６とは異なる第２意匠１５１〜１５６が表示されるように第１光源１２２、１２３及び第２光源１２４を制御している。
【０１２０】
具体的には、制御回路１２５は、第１動作モードにおいて、第１光源１２２、１２３を点灯させ、かつ、第２光源１２４を消灯させ、第２動作モードにおいて、第２光源１２４を点灯させ、かつ、第１光源１２２、１２３を消灯させる。つまり、制御回路１２５は、動作モードが第１動作モードであるか第２動作モードであるかに応じて、第１光源１２２、１２３が点灯しており、かつ、第２光源１２４が消灯している第１状態と、第２光源１２４が点灯しており、かつ、第１光源１２２、１２３が消灯している第２状態とのいずれかに選択的に遷移する。
【０１２１】
なお、制御回路１２５は、外部のスイッチなどにより、タッチセンサ１１２およびスイッチ本体１２１の組合せがオフの状態となっていれば第１光源１２２、１２３及び第２光源１２４の全てが消灯している状態に制御してもよい。
【０１２２】
下枠１１９は、外枠１１１の下端に固定された状態で、基板１１８を保持する部材である。つまり、下枠１１９は、外枠１１１の下端の位置で基板１１８を固定する部材である。
【０１２３】
このように、外枠１１１は、タッチセンサ１１２、窓枠１１３、導光体１１４およびマスク体１１５を支持する押圧部１１６をＺ軸方向にスライド可能に支持しており、下端の位置で基板１１８を固定している。このため、押圧部１１６が外枠１１１に対してＺ軸方向にスライドすれば、導光体１１４と基板１１８とのＺ軸方向における距離は変化する。
【０１２４】
図９は、スイッチ本体１２１を押圧する前後の動きを説明するための図である。図９の（ａ）は、スイッチ本体１２１が押圧される前の状態を示す図５と同様の断面図である。図９の（ｂ）は、スイッチ本体１２１が押圧されている状態を示す断面図である。
【０１２５】
図９に示すように、タッチセンサ１１２、窓枠１１３、導光体１１４およびマスク体１１５を支持する押圧部１１６が外枠１１１に対してＺ軸方向マイナス側にスライドした場合、スイッチ本体１２１が押圧部１１６により押圧される。
【０１２６】
［１−３．効果など］
本実施の形態に係る表示装置１００は、第１光源１２２、１２３と、第２光源１２４と、導光体１１４と、マスク体１１５とを備える。導光体１１４は、第１光源１２２、１２３から発せられる第１光を導光し、導光した第１光を第１意匠１４１〜１４６の形状の反射部において反射させることにより第１意匠１４１〜１４６を表示する。マスク体１１５は、第２意匠１５１〜１５６の形状の透光部分で第２光源１２４から発せられる第２光を透過し、当該透光部分を除く遮光部分で第２光を遮断する。第１意匠１４１〜１４６を表示している第１表示輝度と、第２意匠１５１〜１５６を表示している第２表示輝度とは、第１光の輝度、および、第２光の輝度が調整されることで略等しい輝度に調整されている。
【０１２７】
つまり、表示装置１００では、第１光の輝度、および、第２光の輝度の少なくとも一方が調整されているため、第１意匠１４１〜１４６の第１表示輝度と、第２意匠１５１〜１５６の第２表示輝度とを同等にできる。よって、異なる種類の経路の光で表示させる第１意匠１４１〜１４６および第２意匠１５１〜１５６の表示品位を向上させることができる。
【０１２８】
また、本実施の形態に係る表示装置１００は、さらに、調整部１２６を備える。調整部１２６は、第１光の輝度、および、第２光の輝度の少なくとも一方を、第１意匠１４１〜１４６の第１表示輝度、および、第２意匠１５１〜１５６の第２表示輝度が同等になるように、調整する。
【０１２９】
つまり、調整部１２６は、第１光源１２２、１２３が発する第１光の輝度と、第２光源１２４が発する第２光の輝度との少なくとも一方を調整するため、第１意匠１４１〜１４６の第１表示輝度と、第２意匠１５１〜１５６の第２表示輝度とを同等にできる。よって、第１意匠１４１〜１４６および第２意匠１５１〜１５６の表示品位を向上させることができる。
【０１３０】
また、本実施の形態に係る表示装置１００において、調整部１２６は、第１光源１２２、１２３への供給電力と、第２光源１２４への供給電力とを互いに異ならせることで、第１光の輝度、および、第２光の輝度の少なくとも一方を調整する。また、本実施の形態に係る表示装置１００において、調整部１２６は、第１光源１２２、１２３への供給電流と、第２光源１２４への供給電流とを互いに異ならせることで、第１光の輝度、および、第２光の輝度の少なくとも一方を調整する。このため、第１光の輝度、および、第２光の輝度の少なくとも一方を調整することが容易にできる。
【０１３１】
また、本実施の形態に係る表示装置１００において、第１光源１２２、１２３および第２光源１２４は、同じ光源により構成されている。つまり、調整部１２６は、同じ光源により構成されている第１光源１２２、１２３および第２光源１２４において、供給電力または供給電流を調整することで、第１光の輝度、および、第２光の輝度の少なくとも一方を調整することが容易にできる。
【０１３２】
また、本実施の形態に係る表示装置１００において、調整部１２６は、第１光の輝度を、第２光の輝度よりも高い輝度に調整する。つまり、調整部１２６は、透過光を利用して表示する第２意匠１５１〜１５６よりも低輝度となりやすい、導光体１１４を利用して表示する第１意匠１４１〜１４６を表示させるための第１光の輝度を、第２光の輝度よりも高い輝度に調整する。このため、調整部１２６は、第１意匠１４１〜１４６の第１表示輝度と、第２意匠１５１〜１５６の第２表示輝度とを同等に調整することができる。よって、第１意匠１４１〜１４６および第２意匠１５１〜１５６の表示品位を向上させることができる。
【０１３３】
また、本実施の形態に係る表示装置１００において、調整部１２６は、第１光源１２２、１２３のデューティ比よりも小さいデューティ比で、第２光源１２４を点滅させる。このため、第１光の輝度を第２光の輝度よりも高い輝度に調整することが容易にできる。
【０１３４】
また、本実施の形態に係る表示装置１００は、さらに、隔壁部１１７を有する。隔壁部１１７は、第１光源１２２、１２３と第２光源１２４との間を仕切る。そして、隔壁部１１７の、第２光源１２４側の壁面は、暗色部、つや消し部および乱反射部を有する。このため、隔壁部１１７は、第２光の反射率を低減できるため、第２光の輝度を第１光の輝度よりも小さくすることができる。よって、第１光の輝度を第２光の輝度よりも高い輝度に調整することが容易にできる。
【０１３５】
また、本実施の形態に係る表示装置１００において、第１意匠１４１〜１４６と第２意匠１５１〜１５６とは、互いに重なる位置において表示される。このため、第１意匠１４１〜１４６と第２意匠１５１〜１５６とが互いに重なる位置に配置されるような、異なる輝度で表示されて場合には特に違いが目立ちやすくなる構成であっても、第１意匠１４１〜１４６及び第２意匠１５１〜１５６を表示させる輝度を互いに同等に調整することができる。よって、第１意匠１４１〜１４６および第２意匠１５１〜１５６の表示品位を向上させることができる。
【０１３６】
また、本実施の形態に係る表示装置１００において、第１光源１２２、１２３と、第２光源１２４は、いずれか一方のみが選択されて点灯する。このため、第１意匠１４１〜１４６と第２意匠１５１〜１５６とのいずれか一方が選択されて表示される場合においても、第１意匠１４１〜１４６及び第２意匠１５１〜１５６を表示させる輝度が互いに同等に調整されるので、表示が切り替えられた時も同等の輝度となり、第１意匠１４１〜１４６および第２意匠１５１〜１５６の表示品位を向上させることができる。
【０１３７】
［１−４．実施の形態１の変形例］
上記実施の形態１では、調整部１２６は、第１光源１２２、１２３と、第２光源１２４とで供給電力、供給電流または発光のデューティ比を異ならせることで、第１意匠１４１〜１４６の第１表示輝度と、第２意匠１５１〜１５６の第２表示輝度とを略等しい輝度に調整するとしたがこれに限らない。以下、調整部１２６を用いて輝度の調整を行わない場合の変形例について説明する。
【０１３８】
［１−４−１．実施の形態１の変形例１］
変形例１の表示装置１００Ａの構成を、図１０を用いて説明する。
【０１３９】
図１０は、実施の形態１の変形例１に係る表示装置における、図３のＶ−Ｖ断面図に対応する断面図である。
【０１４０】
例えば、図１０に示す表示装置１００Ａは、調整部として、第１光源１２２、１２３の、第１光を発する側に配置され、第１光を集光するレンズ１６１、１６２を備える。つまり、調整部は、第１光の輝度を調整するレンズ１６１、１６２を含んでいてもよい。この場合、第２光源１２４には、レンズを配置しなくてもよい。なお、レンズ１６１、１６２以外の構成は、実施の形態１と同様であるので説明を省略する。
【０１４１】
レンズ１６１、１６２は、例えば、樹脂、ガラスなどの透明材料により構成される、凸レンズ、フレネルレンズなどである。
【０１４２】
実施の形態１の変形例１に係る表示装置１００Ａによれば、第１光源１２２、１２３の、第１光を発する側にレンズ１６１、１６２を配置することで、第１光源１２２、１２３から発せられる光を集光させることができる。このため、第１光の輝度を第２光の輝度よりも高い輝度に調整することができる。
【０１４３】
なお、実施の形態１の変形例１の表示装置１００Ａでは、実施の形態１の調整部１２６による輝度の調整は行われずに、レンズ１６１、１６２で第１光の輝度を調整するとしたが、実施の形態１の調整部１２６とレンズ１６１、１６２との両方を組み合わせて輝度を調整してもよい。
【０１４４】
また、レンズ１６１、１６２を第１光源１２２、１２３の、第１光を発する側に配置するとしたが、第１光源１２２、１２３にレンズ１６１、１６２を配置せずに、第２光源１２４の、第２光を発する側に、第２光を集光するレンズを配置してもよい。
【０１４５】
また、第１光源１２２、１２３の、第１光を発する側、および、第２光源１２４の、第２光を発する側に、第１光を集光する第１レンズおよび第２光を集光する第２レンズを、それぞれ配置してもよい。この場合、第１レンズおよび第２レンズは、集光の度合い、つまり、焦点距離が、互いに異なるレンズである。
【０１４６】
このように、実施の形態１の変形例１では、第１光源の第１光を発する側、および、第２光源の第２光を発する側の少なくとも一方に集光するレンズが配置されることで、レンズが配置された側の光の輝度が調整される。
【０１４７】
［１−４−２．実施の形態１の変形例２］
実施の形態１の変形例２の表示装置１００Ｂの構成を、図１１を用いて説明する。
【０１４８】
図１１は、実施の形態１の変形例２に係る表示装置における、図３のＶ−Ｖ断面図に対応する断面図である。
【０１４９】
例えば、図１１に示す表示装置１００Ｂは、調整部として、第２光源１２４の、第２光を発する側に配置され、第２光の光量を低下させる減光部１７０を備える。つまり、調整部は、第２光の輝度を調整する減光部１７０を含んでいてもよい。この場合、第１光源１２２、１２３には、減光部を配置しなくてもよい。なお、減光部１７０以外の構成は、実施の形態１と同様であるので説明を省略する。
【０１５０】
減光部１７０は、所定の光量だけ光を透過させる材料（全体がスモークで着色されている材料）で構成されている。つまり、減光部１７０は、光を吸収する微粒子が拡散配置されている透明材料により構成されている。減光部１７０は、例えば、ＮＤ（Ｎｅｕｔｒａｌ  Ｄｅｎｓｉｔｙ）フィルタである。
【０１５１】
実施の形態１の変形例２に係る表示装置１００Ｂによれば、第２光源１２４の、第２光を発する側に減光部１７０を配置することで、第２光源１２４から発せられる光を減光させることができる。このため、第１光の輝度を第２光の輝度よりも高い輝度に調整することができる。
【０１５２】
また、第２光源１２４の第２光を発する側には、減光部１７０の代わりに、光を拡散する光拡散部を配置してもよい。つまり、調整部は、第２光の輝度を調整する光拡散部を含んでいてもよい。
【０１５３】
光拡散部は、光を散乱（乱反射）させる微粒子が拡散配置されている透明材料により構成されていてもよいし、光を拡散させるレンズ、つまり、凹レンズにより構成されていてもよい。
【０１５４】
この場合においても、第２光源１２４の、第２光を発する側に、光拡散部を配置することで、第２光源１２４から発せられる光を拡散させることができる。このため、第１光の輝度を第２光の輝度よりも高い輝度に調整することができる。
【０１５５】
なお、実施の形態１の変形例２の表示装置１００Ｂでは、実施の形態の調整部１２６による輝度の調整は行われずに、減光部１７０または光拡散部で第２光の輝度を調整するとしたが、実施の形態１の調整部１２６と、減光部１７０または光拡散部との両方を組み合わせて輝度を調整してもよい。
【０１５６】
また、減光部１７０または光拡散部を第２光源１２４の、第２光を発する側に配置するとしたが、第２光源１２４に減光部１７０または光拡散部を配置せずに、第１光源１２２、１２３の第１光を発する側に、第１光を減光する減光部１７０または第１光を拡散する光拡散部を配置してもよい。
【０１５７】
また、第１光源１２２、１２３の第１光を発する側に、第１光を減光する第１減光部、または、第１光を拡散する第１光拡散部を配置し、かつ、第２光源１２４の第２光を発する側に、第２光を減光する第２減光部、または、第２光を拡散する第２光拡散部を配置してもよい。この場合、第１減光部および第２減光部は、減光の度合い、例えば、光を吸収する微粒子の単位面積当たりの密度が、互いに異なる材料である。また、この場合、第１光拡散部および第２光拡散部は、光拡散の度合い、例えば、光を散乱させる微粒子の単位面積当たりの密度が互いに異なる材料であるか、または、焦点距離が互いに異なる凹レンズである。なお、ここで言う単位面積とは、例えば、各光源の光軸から各減光部または各光拡散部を平面視した場合の、各減光部または各光拡散部の面積を基準として求められる。
【０１５８】
このように、実施の形態１の変形例２では、第１光源の第１光を発する側、および、第２光源の第２光を発する側の少なくとも一方に減光部または光拡散部が配置されることで、第１光の輝度、および、第２光の輝度の少なくとも一方が調整される。
【０１５９】
［１−４−３．実施の形態１の変形例３］
実施の形態１の変形例３の表示装置１００Ｃの構成を、図１２を用いて説明する。
【０１６０】
図１２は、実施の形態１の変形例３に係る表示装置における、図３のＶ−Ｖ断面図に対応する断面図である。
【０１６１】
例えば、図１２に示す表示装置１００Ｃは、実施の形態の表示装置１００の第１光源１２２、１２３と比較して、２倍の数の第１光源１２２Ｃ、１２３Ｃを備える。つまり、第１光源１２２Ｃ、１２３Ｃは、全てが図示されていないが、１２個の発光素子（ＬＥＤ）を有する。一方で、第２光源１２４は、実施の形態１の表示装置１００の第２光源１２４と同様であり、６個の発光素子（ＬＥＤ）を有する。つまり、第２光源１２４は、第１光源１２２Ｃ、１２３Ｃの発光素子の数とは異なる数の発光素子を有する。そして、変形例３の表示装置１００Ｃでは、第１光源１２２Ｃ、１２３Ｃの発光素子の数は、第２光源１２４の発光素子の数よりも多い。
【０１６２】
このように、実施の形態１の変形例３の表示装置１００Ｃでは、第１光源１２２Ｃ、１２３Ｃと、第２光源１２４とで、それぞれを構成する発光素子の数を異ならせることで、第１光の輝度、および、第２光の輝度の少なくとも一方を調整することができる。
【０１６３】
なお、第２光源が有する発光素子の数を、第１光源が有する発光素子の数よりも多くすることで、第１光の輝度、および、第２光の輝度の少なくとも一方を調整してもよい。
【０１６４】
また、発光素子の数で輝度を調整することに限らずに、第１光源と、第２光源とで、発光可能な最大輝度が異なる発光素子を採用することで、第１光の輝度、および、第２光の輝度の少なくとも一方を調整してもよい。つまり、同じ発光条件においても、例えば、発光効率が異なる発光素子を採用すれば、それぞれの発光素子は、異なる輝度で発光することとなる。つまり、これを利用して、例えば発光効率、最大輝度などの性能が互いに異なる発光素子を、第１光源および第２光源それぞれに用いてもよい。
【０１６５】
［１−４−４．実施の形態１の変形例４］
実施の形態１の変形例４の表示装置１００Ｄの構成を、図１３を用いて説明する。
【０１６６】
図１３は、実施の形態１の変形例４に係る表示装置における、図３のＶ−Ｖ断面図に対応する断面図である。
【０１６７】
例えば、図１３に示す表示装置１００Ｄが備える第１光源１２２、１２３は、実施の形態１の表示装置１００の第１光源１２２、１２３と比較して、基板１１８からの高さが高い位置に配置されている。具体的には、第１光源１２２、１２３は、基板１１８上に配置されている台１８１、１８２上に配置されている。これにより、第１光源１２２、１２３が配置される位置は、第２光源１２４が配置される位置よりも、基板１１８からの高さが高い。このように、第１光源１２２、１２３を第２光源１２４よりも基板１１８から高くすることで、第１光源１２２、１２３を、第２光源１２４よりも、第１意匠１４１〜１４６および第２意匠１５１〜１５６を表示させる表示面に、近づけることができる。よって、台１８１、１８２の高さを調整することで、第１意匠１４１〜１４６を表示するために有効な第１光の輝度を調整することができる。これにより、第１表示輝度と第２表示輝度とを略等しい輝度に調整することができる。
【０１６８】
なお、図１３では、台を介して第１光源を基板に配置し、第２光源を基板に直接配置する構成例を説明したが、これに限らずに、第１光源を基板に直接配置し、台を介して第２光源を基板に配置する構成としてもよい。つまり、第１光源と、第２光源とは、基板からの高さが互いに異なる位置に配置されていればよい。
【０１６９】
また、台を介して高さを変更する構成に限らずに、表示面までの各光源の距離を変更する構成とすればよい。例えば、凹凸を設けるなどして基板の形状を変更することで表示面までの各光源の距離を変更してもよい。
【０１７０】
［１−４−５．実施の形態１の変形例５］
次に、実施の形態１の変形例５について説明する。
【０１７１】
上記実施の形態１および実施の形態１の変形例１〜４に係る表示装置１００、１００Ａ〜１００Ｄにおける、第１光の輝度、および、第２光の輝度の少なくとも一方を調整する構成の代わりに、隔壁部１１７の第２光源１２４側の壁面に、暗色部、つや消し部および乱反射部を設けることで、第１光の輝度、および、第２光の輝度の少なくとも一方を調整してもよい。つまり、隔壁部１１７の第２光源１２４側の壁面は、暗色の材料で構成されていてもよいし、つや消しされている材料で構成されていてもよいし、光を乱反射する材料で構成されていてもよい。この場合、第１光源１２２、１２３側の壁面には、暗色部、つや消し部および乱反射部が設けられていないものとする。ここで、暗色とは、例えば、黒色、紺色、茶色などの色であり、反射率が所定の反射率よりも低い色である。
【０１７２】
これにより、第２光の一部は、隔壁部１１７の第２光源１２４側の壁面で吸収されるか、もしくは乱反射するため、第２光の反射率を低減できる。よって、第２意匠１５１〜１５６を表示するために有効な第２光の輝度を第１光の輝度よりも低い輝度に調整することが容易にできる。
【０１７３】
なお、上記とは反対に、隔壁部１１７の第１光源１２２、１２３側の壁面に暗色部、つや消し部および乱反射部を設ける構成としてもよい。同様に、この場合、第２光源１２４側の壁面には、暗色部、つや消し部および乱反射部が設けられていないものとする。
【０１７４】
（実施の形態２）
実施の形態２について説明する。
【０１７５】
［２−１．構成］
実施の形態２に係る表示装置１００Ｅは、上記実施の形態１の表示装置１００と比較して、隔壁部１１７と基板１１８との接続部分が異なる。
【０１７６】
基板１１８および隔壁部１１７は、第１空間Ｓ１と第２空間Ｓ２とにおいて、一方の空間から他方の空間に向かう光を遮断した状態で接続されている。具体的には、基板１１８および隔壁部１１７は、図１４に示すように、基板１１８および隔壁部１１７の間の空間に遮光性を有する充填材１６０が充填されることで接続されている。充填材１６０は、暗色の表面を有していてもよい。ここで、暗色とは、例えば、黒色、紺色、茶色などの色であり、反射率が所定の反射率よりも低い色である。充填材１６０は、例えば、ゴム、接着剤などにより構成される。
【０１７７】
［２−２．効果など］
本実施の形態に係る表示装置を含む表示装置１００Ｅは、第１光源１２２、１２３および第２光源１２４と、導光体１１４と、マスク体１１５と、基板１１８と、隔壁部１１７とを備える。第１光源１２２、１２３および第２光源１２４は、選択的にいずれかが点灯する。導光体１１４は、第１光源１２２、１２３から発せられる第１光を導光し、導光した第１光を第１意匠１４１〜１４６の形状の反射部において反射することにより第１意匠１４１〜１４６を表示する。マスク体１１５は、第２意匠１５１〜１５６の形状の透光部分で第２光源１２４から発せられる第２光を透過し、透光部分を除く遮光部分で第２光を遮断する。基板１１８は、第１光源１２２、１２３および第２光源１２４が配置されている。隔壁部１１７は、第１光源１２２、１２３および第２光源１２４の間を仕切り、かつ、遮光性を有する。基板１１８および隔壁部１１７は、第１光源１２２、１２３が設けられる第１空間Ｓ１と、第２光源１２４が設けられる第２空間Ｓ２とにおいて、一方の空間から他方の空間に向かう光を遮断した状態で接続されている。
【０１７８】
このため、第１光源１２２、１２３が点灯している場合において、第１光源１２２、１２３からの第１光が基板１１８および隔壁部１１７の接続部分から第２空間Ｓ２に漏れることを低減することができる。同様に、第２光源１２４が点灯している場合において、第２光源１２４からの第２光が基板１１８および隔壁部１１７の接続部分から第１空間Ｓ１に漏れることを低減することができる。よって、第１意匠１４１〜１４６を表示している場合に、第２意匠１５１〜１５６が映り込んでしまうこと、および、第２意匠１５１〜１５６を表示している場合に、第１意匠１４１〜１４６が映り込んでしまうことを低減することができる。これにより、表示装置を含む表示装置１００Ｅでは、第１意匠１４１〜１４６および第２意匠１５１〜１５６をそれぞれ選択的に独立して表示させることができ、表示品位の向上が可能となる。
【０１７９】
また、本実施の形態に係る表示装置を含む表示装置１００Ｅにおいて、基板１１８および隔壁部１１７は、基板１１８および隔壁部１１７の間の空間に遮光性を有する充填材１６０が充填されることで接続されている。このため、基板１１８および隔壁部１１７の接続部分において、第１空間Ｓ１および第２空間Ｓ２の一方の空間から他方の空間に向かう光を効果的に遮断することができる。
【０１８０】
また、本実施の形態に係る表示装置を含む表示装置１００Ｅにおいて、充填材１６０は、暗色の表面を有する。このため、充填材１６０において、第１光源１２２、１２３からの第１光、または、第２光源１２４からの第２光が反射されるのを低減することができる。よって、光が充填材１６０において乱反射されることを低減することができ、第１空間Ｓ１および第２空間Ｓ２の一方の空間から他方の空間に向かう光を効果的に遮断することができる。
【０１８１】
また、本実施の形態に係る表示装置を含む表示装置１００Ｅにおいて、充填材１６０は、ゴムまたは接着剤である。このため、基板１１８および隔壁部１１７の接続部分における隙間を容易に埋めることができる。よって、基板１１８および隔壁部１１７の接続部分において、第１空間Ｓ１および第２空間Ｓ２の一方の空間から他方の空間に向かう光を効果的に遮断することができる。
【０１８２】
また、本実施の形態に係る表示装置を含む表示装置１００Ｅにおいて、基板１１８は、遮光性を有する材料により構成されている。このため、光が基板１１８側から漏れて、第１空間Ｓ１および第２空間Ｓ２の一方の空間から他方の空間に向かうことを遮断することができる。また、基板１１８が遮光性を有するため、一般的なガラスエポキシ基板のように光が基板内部を伝播して、他方の空間をほのかに照らしてしまう可能性を低減することができる。
【０１８３】
また、本実施の形態に係る表示装置を含む表示装置１００Ｅにおいて、隔壁部１１７は、暗色の表面を有する。このため、隔壁部１１７の表面において乱反射を低減することができ、第１空間Ｓ１および第２空間Ｓ２の一方の空間から他方の空間に向かう光を効果的に遮断することができる。
【０１８４】
また、本実施の形態に係る表示装置を含む表示装置１００Ｅにおいて、基板１１８は、暗色の表面を有する。このため、基板１１８の表面において乱反射を低減することができ、第１空間Ｓ１および第２空間Ｓ２の一方の空間から他方の空間に向かう光を効果的に遮断することができる。
【０１８５】
［２−３．実施の形態２の変形例］
［２−３−１．実施の形態２の変形例１］
実施の形態２の変形例１の表示装置１００Ｆの構成を、図１５を用いて説明する。
【０１８６】
図１５は、実施の形態２の変形例１に係る表示装置における、図３のＶ−Ｖ断面図に対応する断面図である。
【０１８７】
例えば、図１５に示す表示装置１００Ｆは、実施の形態に係る表示装置１００の構成に加えて、第１光源１２２、１２３の、第１光を発する側に配置され、第１光を集光するレンズ１６１、１６２を備える。この場合、第２光源１２４には、図１５に示すようにレンズを配置しなくてもよいし、レンズ１６１、１６２と同様のレンズを配置してもよい。なお、レンズ１６１、１６２以外の構成は、実施の形態と同様であるので説明を省略する。
【０１８８】
レンズ１６１、１６２は、例えば、樹脂、ガラスなどの透明材料により構成される、凸レンズ、フレネルレンズなどである。
【０１８９】
また、レンズ１６１、１６２を第１光源１２２、１２３の、第１光を発する側に配置するとしたが、第１光源１２２、１２３にレンズ１６１、１６２を配置せずに、第２光源１２４の、第２光を発する側に、第２光を集光するレンズを配置してもよい。
【０１９０】
このように、第１光源１２２、１２３および第２光源１２４の少なくとも一方の光を発する側に、当該光を集光するレンズを設けることにより、第１光源１２２、１２３および第２光源１２４の少なくとも一方の光をレンズにより集光することができる。このため、第１光源１２２、１２３の第１光が第２空間Ｓ２側に向かうこと、または、第２光源１２４の第２光が第１空間Ｓ１側に向かうことを低減することができる。よって、基板１１８および隔壁部１１７の接続部分において、第１空間Ｓ１および第２空間Ｓ２の一方の空間から他方の空間に向かう光を効果的に遮断することができる。
【０１９１】
［２−３−２．実施の形態２の変形例２］
上記実施の形態２および実施の形態２の変形例１では、基板１１８および隔壁部１１７は、基板１１８および隔壁部１１７の間の空間に遮光性を有する充填材１６０が充填されることで接続されているとしたが、これに限らない。
【０１９２】
以下、実施の形態２の変形例２の表示装置１００Ｇの構成を、図１６を用いて説明する。
【０１９３】
図１６は、実施の形態２の変形例２に係る表示装置における、図３のＶ−Ｖ断面図に対応する断面図である。
【０１９４】
実施の形態２の変形例２に係る表示装置１００Ｆは、実施の形態に係る表示装置１００と比較して、隔壁部１１７Ａおよび基板１１８Ａの構成が異なる。このため、隔壁部１１７Ａおよび基板１１８Ａの構成について説明する。なお、実施の形態２の変形例１の表示装置１００Ｆのその他の構成は、実施の形態の表示装置１００の構成と同様であるので、詳細な説明を省略する。
【０１９５】
隔壁部１１７Ａは、基板１１８Ａとの接続部分において、その先端が基板１１８Ａを貫通する貫通部分１９１を有する。
【０１９６】
基板１１８Ａは、隔壁部１１７Ａの貫通部分１９１に貫通される貫通孔１９２を有する。
【０１９７】
このように、基板１１８Ａおよび隔壁部１１７Ａは、隔壁部１１７Ａの貫通部分１９１が基板１１８Ａに設けられた貫通孔１９２に挿入されることで接続されている。このため、隔壁部１１７Ａは、接続部分における隙間を最小限にした状態で第１空間Ｓ１および第２空間Ｓ２を仕切ることが容易にできる。さらに、基板１１８Ａは貫通孔１９２を有するため、基板１１８Ａの内部を伝播する光があったとしても貫通孔１９２で光の伝播が遮られる。よって、基板１１８Ａおよび隔壁部１１７Ａの接続部分において、第１空間Ｓ１および第２空間Ｓ２の一方の空間から他方の空間に向かう光を効果的に遮断することができる。
【０１９８】
なお、隔壁部１１７Ａは、貫通部分１９１によって基板１１８Ａの貫通孔１９２を貫通する構成としたが、貫通しない構成であってもよい。つまり、隔壁部は、基板との接続部分において、基板に設けられた溝などの凹部に貫通せずに挿入される、つまり、嵌合する構成を有していてもよい。この場合であっても、実施の形態２の変形例１の基板１１８Ａおよび隔壁部１１７Ａと同様の効果を得ることができる。
【０１９９】
［２−３−３．実施の形態２の変形例３］
上記実施の形態２および実施の形態２の変形例１、２では、外枠１１１は、タッチセンサ１１２、窓枠１１３、導光体１１４およびマスク体１１５を支持する押圧部１１６をＺ軸方向にスライド可能に支持しており、下端の位置で基板１１８を固定している構成であるとしたが、これに限らずに、外枠１１１と、タッチセンサ１１２、窓枠１１３、導光体１１４、マスク体１１５、および押圧部１１６とは、互いに固定されている構成であってもよい。この場合、スイッチ本体１２１は、基板１１８には設けられずに、基板１１８のＺ軸方向マイナス側に設けられる別の基板に設けられてもよい。つまり、この場合の表示装置では、表示装置は、Ｚ軸方向マイナス側に押圧された場合に、別の支持部材を介してＺ軸方向マイナス側にスライドすることで、別の基板に設けられるスイッチ本体を押圧する。
【０２００】
［２−３−４．実施の形態２の変形例４］
上記実施の形態２および実施の形態２の変形例１、２では、基板１１８、１１８Ａおよび隔壁部１１７、１１７Ａは、相対的な位置が固定されている構成であるとしたが、タッチセンサ１１２が押圧された場合に、タッチセンサ１１２、窓枠１１３、導光体１１４、マスク体１１５、および押圧部１１６とともに隔壁部が基板に対して近づく方向に移動する構成であってもよい。この場合、隔壁部は、押圧により、基板との接続部分における光を遮断した状態を維持したまま基板に対して相対的に移動してもよい。
【０２０１】
例えば、隔壁部と基板との間に充填材が設けられている場合には、当該隔壁部が基板に近づく方向に移動した時に、充填材が圧縮することで隔壁部の移動を許容するように、隔壁部および基板が充填材を介して接続されていてもよい。また、例えば、隔壁部の端部が基板の凹部または貫通孔に挿入されている構成である場合には、隔壁部の端部が基板の凹部または貫通孔に対して挿入されたまま、隔壁部が挿入方向にスライド可能に基板に接続されていてもよい。
【０２０２】
［３．その他］
上記実施の形態１、２、実施の形態１の変形例１〜５および実施の形態２の変形例１〜４に係る表示装置１００、１００Ａ〜１００Ｇによれば、窓枠１１３が有する開口の外形は矩形であるとしたが、これに限らずに、円形であってもよいし、星形であってもよいし、その他の様々な形状であってもよい。また、押圧部１１６の開口の外形や、隔壁部１１７の壁の形状についても、矩形に限らずに、窓枠１１３が有する開口の外形の形状に応じた形状であってもよい。これにより、第１意匠１４１〜１４６および第２意匠１５１〜１５６の周囲の領域においても、窓枠１１３の開口、押圧部１１６の開口、及び、隔壁部１１７の壁の形状に応じて、様々な形状で表示させることができる。
【０２０３】
なお、以上の説明では、表示装置１００にスイッチ本体１２１が設けられる構成としたが、これに限定されず、例えば、スイッチ本体１２１を備えずに、光源を切り替えて第１意匠１４１〜１４６および第２意匠１５１〜１５６を選択的に表示させる機能のみを有する構成としてもよい。
【０２０４】
上記実施の形態１、２、実施の形態１の変形例１〜５および実施の形態２の変形例１〜４に係る表示装置１００、１００Ａ〜１００Ｇによれば、第１光源１２２、１２３および第２光源１２４は、それぞれ、複数の発光素子により構成されるとしたが、これに限らずに、それぞれが１つの発光素子により構成されてもよい。
【０２０５】
上記実施の形態１および実施の形態１の変形例１〜５に係る表示装置１００、１００Ａ〜１００Ｄでは、第１光の輝度、および、第２光の輝度の少なくとも一方を調整が調整されることとしたが、実施の形態２および実施の形態２の変形例１〜４に係る表示装置１００Ｅ〜１００Ｇでは、実施の形態１と同様に第１光の輝度、および、第２光の輝度の少なくとも一方を調整が調整されてもよいし、実施の形態１とは異なり第１光の輝度、および、第２光の輝度の少なくとも一方を調整が調整されなくてもよい。
【０２０６】
以上、本発明の一つまたは複数の態様に係る表示装置および入力装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の一つまたは複数の態様の範囲内に含まれてもよい。
【産業上の利用可能性】
【０２０７】
本発明は、異なる種類の経路の光で表示させる第１意匠および第２意匠の表示品位を向上させることができる表示装置、入力装置などとして有用である。
【符号の説明】
【０２０８】
２  ステアリング入力装置
４  自動車
６  車載機器
８  ステアリングホイール
１２  リム
１４  スポーク
１６  ホーンスイッチカバー
１８  指
２０  ダッシュボード
１００、１００Ａ〜１００Ｇ  表示装置
１１１  外枠
１１２  タッチセンサ
１１３  窓枠
１１４  導光体
１１５  マスク体
１１６  押圧部
１１７、１１７Ａ  隔壁部
１１８、１１８Ｂ  基板
１１９  下枠
１２１  スイッチ本体
１２２、１２３  第１光源
１２４、１２４ａ〜１２４ｆ  第２光源
１２５  制御回路
１２６  調整部
１３１  出光部
１３１ａ  出光面
１３２  第１の導光部
１３２ａ  曲面部分
１３３  第２の導光部
１３３ａ  曲面部分
１３４  第１の入光面
１３５  第２の入光面
１４１〜１４６  第１意匠
１５１〜１５６  第２意匠
１６０  充填材
１６１、１６２  レンズ
１７０  減光部
１８１、１８２  台
１９１  貫通部分
１９２  貫通孔
Ｓ１  第１空間
Ｓ２  第２空間
【図１】
2019144523.tif 000003
【図２】
2019144523.tif 000004
【図３】
2019144523.tif 000005
【図４】
2019144523.tif 000006
【図５】
2019144523.tif 000007
【図６】
2019144523.tif 000008
【図７】
2019144523.tif 000009
【図８】
2019144523.tif 000010
【図９】
2019144523.tif 000011
【図１０】
2019144523.tif 000012
【図１１】
2019144523.tif 000013
【図１２】
2019144523.tif 000014
【図１３】
2019144523.tif 000015
【図１４】
2019144523.tif 000016
【図１５】
2019144523.tif 000017
【図１６】
2019144523.tif 000018